【事件の表示】
　特願２００５−３５２２６８「充電装置」拒絶査定不服審判事件〔平成１９年　６月２１日出願公開、特開２００７−１５９２９２〕について、次のとおり審決する。
【結　論】
　本件審判の請求は、成り立たない。
【理　由】
１．手続の経緯・本願の発明　
　本願は，平成１７年１２月　６日の特許出願であって，平成２２年　５月１１日付けで拒絶査定がなされ，この査定を不服として，同年　８月　４日に本件審判請求がなされるとともに，手続補正（前置補正）がなされた。　
　一方，当審において，平成２３年　４月２５日付けで拒絶理由を通知し，これに対して，応答期間内である同年　６月　９日に意見書とともに手続補正書が提出されたところである。　
　そして，この出願の請求項１に係る発明（以下「本願発明」という。）は，平成２３年　６月　９日に提出された手続補正書により補正された特許請求の範囲の請求項１に記載された事項により特定される次のとおりものと認められる。　
　
「【請求項１】　
　バッテリー装着部に，バッテリーパックの正極端子及び負極端子に接続する正極用充電端子及び負極用充電端子を設けると共に，前記バッテリー装着部に前記バッテリーパックが装着されたときだけ，前記バッテリーパックへの充電動作が行われるように制御する制御マイクロコンピュータを設けた充電装置において，　
　前記バッテリーパックの正極端子及び負極端子は，前記バッテリー装着部に設けられる前記正極用充電端子及び負極用充電端子との接続面が平面形状に形成されており，　
　前記バッテリー装着部の前記正極用充電端子又は前記負極用充電端子に近接してスイッチ用端子が設けられ，　
　一方の被制御電極が前記制御マイクロコンピュータのバッテリー有無検出端子に接続されると共に電源端子に接続され，制御電極が前記スイッチ用端子に接続され，他方の被制御電極が接地されて，前記制御マイクロコンピュータによる前記バッテリーパックへの充電動作の制御が行われるように動作するスイッチング用トランジスタが設けられ，　
　前記正極用充電端子，前記負極用充電端子，及び前記スイッチ用端子は，前記バッテリーパックの正極端子又は負極端子に接続される部分がバネ状に形成されており，　
　前記正極用充電端子及び前記スイッチ用端子との距離が，前記バッテリーパックをバッテリー装着部に装着したときに該バッテリーパックの正極端子を同時に接触できる距離に配置されるようにし，　
　前記バッテリー装着部に前記バッテリーパックを装着したときに，前記平面形状に形成された前記バッテリーパックの正極端子で，前記正極用充電端子と前記スイッチ用端子とを短絡し，この短絡によって前記スッチング用トランジスタ（当審注：「スイッチング用トランジスタ」の誤記。）を導通させることにより，前記制御マイクロコンピュータが前記バッテリーの装着を検知し，充電動作の制御を行い，　
　前記バッテリーパックが前記バッテリー装着部に装着されていないときは，前記スイッチ用端子を開放し，前記スイッチング用トランジスタはオフすることにより，前記制御マイクロコンピュータが前記バッテリー装着部に装着されていないと判断し，充電動作の制御は行わないことを特徴とする充電装置。」　
　
２．引用例とその記載事項　
　当審における拒絶の理由で引用された登録実用新案第３０５４０３３号公報（以下，「引用例１」という。）には，「充電器」に関し，図面とともに次の事項が記載又は示されている。　
　
（ア）「【実用新案登録請求の範囲】　
【請求項１】  ２次電池に充電するための充電回路を備えた充電器に２次電池の充電端子に接続する充電端子と，電源を充電回路に接続するための短絡用端子とを設けて，充電器に２次電池が挿入されると短絡用端子間は短絡されて充電回路は電源に接続されて充電することを特徴とする充電器。　
【請求項２】  充電器の充電端子に接続する充電端子と，充電器の短絡用端子間を短絡させる短絡板とを備えた２次電池が充電するために挿入されると充電されることを特徴とする請求項１に記載した充電器。」　
　
（イ）「【０００１】　
【産業上の利用分野】　
  本考案は充電電池を充電する充電器の構成に関する。」　
　
（ウ）「【０００９】　
【考案の実施の形態】　
　図１は本考案の２次電池用充電器の一実施例を示す図で（ａ）は２次電池と充電器の斜視図であり，（ｂ）は２次電池及び充電器のブロック図である。１は充電器，１ａと１ｂは充電端子，１ｃと１ｄは短絡用端子，２は電源でＡＣ電源からＤＣ又はパルスによる充電用の電圧電流を生成する。３は制御部，４は電流制御回路，５は２次電池，５ａと５ｂは充電端子，５ｃ，５ｄは短絡板である。　
      【００１０】　
　図１（ａ）から説明する。携帯用の電子機器などに使用するニッケルカドミューム電池やリチュームイオン電池等の充電して使用する２次電池５を充電器１の充電用の凹部に装着する。そこで充電器１と２次電池５の充電端子で１ａと５ａ及び１ｂと５ｂがそれぞれ接続し，充電器１の短絡用端子１ｃと１ｄには２次電池５の短絡板５ｃ，５ｄが接触して短絡用端子１ｃと１ｄをショートさせることで２次電池５の着脱が従来例による開始スイッチ６の役割を果たす。　
      【００１１】　
　図１（ｂ）のブロック図の電源２は２次電池５が充電のために充電器１に装着されると短絡用端子１ｃと１ｄが短絡板５ｃ，５ｄによるショートで制御部３と電流制御回路４からなる充電回路に接続される。この状態で制御部３は２次電池の電圧を充電端子１ａと１ｂから検出し，充電が必要な電圧かを計測し，必要であれば電流制御回路４をオンにして充電端子１ａ，１ｂから２次電池に充電電流を流す。充電状態から満充電を示す電圧になると充電停止信号を電流制御回路４に出力して充電を停止する。この充電期間は通常不図示のＲＥＤ表示などで充電中か充電終了かを判断できるので充電中のＲＥＤ表示が消えると２次電池５を充電器１から取り外すと電源２と充電回路の制御部３及び電流制御回路４は切り離される。」　
　
（エ）「【００１２】　
　図２は本考案の他の実施例を示す図であり，（ａ）は２次電池と充電器との斜視図で，（ｂ）は２次電池及び充電器のブロック図である。図２と図１との相違するところは，短絡板５ｃ，５ｄを設けずに充電端子５ａを横長形状にして短絡板機能も持たせたものである。充電器１は充電用端子１ａと１ｂに短絡用端子１ｃによる３端子として，２次電池５が充電器１に装着されると充電端子１ａと短絡端子１ｃとが２次電池５の横長形状の充電端子５ａによりショートされて充電回路の制御部３と電流制御回路４と電源２は接続して充電される。この図２の電圧監視は充電端子電圧１ａのＶ１と，１ｂのＶ２との差（Ｖ１−Ｖ２）で検出する。３端子による回路を除けば図１と同じであるから説明は省略する。」　
　
（オ）「【００１３】　
【考案の効果】　
　従来技術の２次電池の充電器に見られるような電源が常時充電回路に供給さるものや，電源をオンオフするスイッチを備えた充電器にたいして，本考案のように充電器の充電用電源と制御部と電流制御回路からなる充電回路の電源供給路を遮断してその間を短絡用端子とし，充電する２次電池には充電端子と前記短絡用端子をショートさせる短絡板を設けることで，充電器に２次電池が充電のために装着された時だけ電源が充電回路に接続するので，２次電池が離脱された状態では電源オフのため不測の事故も生じないし省電力効果もある。それに開始スイッチを必要としないのでコストダウンにもなる。」　
　
（カ）上記摘記事項（ウ），（エ）を参照すると，図２（ａ）（ｂ）からみて，「２次電池５が充電器１の凹部に装着されると，２次電池５の充電端子５ｂは充電器の充電用端子１ｂと接続されること」，「２次電池５の充電端子５ａ，５ｂは，充電器１の凹部に設けられる充電用端子１ａ，１ｂとの接続面が平面形状に形成されていること」，「充電器１の凹部の充電用端子１ａに近接して短絡用端子１ｃが設けられていること」，「充電用端子１ａ，１ｂ及び短絡用端子１ｃは，２次電池５の充電端子５ａ，５ｂに接続される部分が形成されていること」，及び，「２次電池５を充電器１の凹部から取り外すと，短絡用端子１ｃを開放し，充電動作の制御は行わないこと」は，明らかである。　
　
　これらの記載事項及び図示内容を総合すると引用例の図２（ａ）（ｂ）の実施例には，次の発明（以下，「引用発明」という。）が記載されていると認められる。　
「充電器１の凹部に，２次電池５の充電端子５ａ，５ｂに接続する充電用端子１ａ，１ｂを設けると共に，前記充電器１の凹部に前記２次電池５が装着された時だけ，電源２が制御部３と電流制御回路４からなる充電回路に接続することで，前記２次電池５への充電が行われるようにする制御部３を設けた充電器１において，　
　前記２次電池５の充電端子５ａ，５ｂは，前記充電器１の凹部に設けられる前記充電用端子１ａ，１ｂとの接続面が平面形状に形成されており，　
　前記充電器１の凹部の前記充電用端子１ａに近接して短絡用端子１ｃが設けられ，　
　前記制御部３による前記２次電池５への充電電流を流す前記電流制御回路４が設けられ，　
　前記充電用端子１ａ，１ｂ及び前記短絡用端子１ｃは，前記２次電池５の充電端子５ａ，５ｂに接続される部分が形成されており，　
　前記充電用端子１ａ及び前記短絡用端子１ｃが，前記２次電池５を充電器１の凹部に装着したときに，該２次電池５の充電端子５ａによりショートされるように配置されるようにし，　
　前記充電器１の凹部に前記２次電池５を装着したときに，横長形状に形成された前記２次電池５の充電端子５ａで，前記充電用端子１ａと前記短絡用端子１ｃとをショートし，このショートによって，前記制御部３と前記電流制御回路４が電源２に接続され，前記制御部３は，前記２次電池５の電圧が充電が必要な電圧かを計測し，必要であれば前記電流制御回路４をオンにして前記２次電池５に充電電流を流し，　
　前記２次電池５を前記充電器１の凹部から取り外すと，前記短絡用端子１ｃを開放し，前記制御部３と前記電流制御回路４は前記電源２から切り離されて，充電動作の制御は行わない，充電器１。」　
　
　同じく当審における拒絶の理由で引用された特開平３−３６９３６号号公報（以下，「引用例２」という。）には，「電池の充電装置」に関し，図面とともに次の事項が記載又は示されている。（下線部は，当審において付した。）　
　
（キ）「〔発明の利用分野〕　
　本発明はニッケルカドミウム電池の充電装置に関するものである。」（第１ページ左下欄第１３行〜第１５行）　
　
（ク）「図において，１は交流電源，２は電源トランス，３，４，７及び８は整流ダイオード，５及び６はＳＣＲで定電流充電制御をする。９は抵抗９ａ，９ｂ，９ｃ，演算増幅器９ｄ，コンデンサ９ｅからなる充電電流検出手段，１０はボルテージレギュレータ１０ａ，ダイオード１０ｂ，平滑コンデンサ１０ｃからなる定電圧電源で，後述するマイコン１１等の電源となる。１１は塩算手段（ＣＰＵ）１１ａ，ＲＯＭ１１ｂ，ＲＯＭ１１ｃ，タイマ１１ｄ，外部割り込み入力１１ｅ，入力ポート１１ｆ，出力ポート１１ｇ，Ａ／Ｄコンバータ１１ｈからなるシングルチップマイクロコンピュータ（以後マイコンと呼ぶ）である。１２は抵抗１２ａと１２ｂからなる電池電圧検出手段で，電池組１４からの入力電圧を分圧する。１３はトランジスタ１３ａ，抵抗１３ｂ，１３ｃ，ダイオード１３ｄからなるＳＣＲ点弧手段である。
１４は充電される電池で，電池１４ａとサーモスタット１４ｂからなる電池組が接続される。１６はトランジスタ１６ａ，抵抗１６ｂ，１６ｃ，１６ｄからなる電池接続検出手段である。
　次に，第３図Ａ，Ｂ，Ｃのフローチャートをもとに動作の説明をする。　
充電装置１５に電池１４が接続されると電池接続検出手段１６の信号によりマイコン１１は電池１４の接続を判別し，電源ゼロクロス検出手段１７からの外部割り込みを許可し充電を開始し，定電流充電制御（ステップ２０１〜２０５）および−ΔＶ満充電検出制御（ステップ４０１〜４０５）を行う。
　
（ケ）第１図には，「電池接続検出手段１６は，一方の被制御電極がシングルチップマイクロコンピュータ１１の入力ポート１１ｆに接続されると共に電源端子に接続され，制御電極が電池組を検出する端子に接続され，他方の被制御電極が接地された」構成が示されている。　
　
 　同じく当審における拒絶の理由で引用された特開平１１−１７６４８６号公報（以下，「引用例３」という。）には，「充電装置」に関し，図面とともに次の事項が記載又は示されている。　
　
（コ）「【０００１】　
【発明の属する技術分野】本発明は，パック電池や携帯用機器に内蔵された二次電池を充電する充電装置に関する。」　
　
（サ）「【０００８】　
【発明の実施の形態】図１及び図２は本発明の一実施例を示しており，１はパック電池や二次電池を内蔵する携帯用機器等からなる被充電体，２は被充電体１を装着するための装着部３を有する本体ケース，４Ａ及び４Ｂは本体ケース２に内蔵されたプリント基板５に取り付けられた一対の充電端子である。充電端子４Ａ及び４Ｂは，装着部３の底面より外部に弾性的に突出し，装着部３に装着される被充電体１と電気的に接触する。また，充電端子４Ａ及び４Ｂは，装着部３に被充電体１が装着されると，被充電体１の押圧力によって下方に撓む。　
【０００９】６Ａ及び６Ｂは充電端子４Ａ及び４Ｂとの間に，所定の間隙を隔ててプリント基板５に取り付けられた接触端子，７は接触端子６Ａ及び６Ｂと電気的に接続された充電回路である。充電回路７は周知の定電流充電回路，定電圧充電回路等からなる。　
【００１０】この構成において，装着部３に被充電体１が装着されていない場合，充電端子４Ａ及び４Ｂは，接触端子６Ａ及び６Ｂと離間している（図１に実線で示す）。即ち，充電端子４Ａ及び４Ｂは，充電回路７と電気的に分離されている。従って，金属チェーン等が充電端子４Ａ及び４Ｂに接触しても，充電端子４Ａ及び４Ｂ間におけるショート事故は発生しない。　
【００１１】一方，装着部３に被充電体１を装着すると，充電端子４Ａ及び４Ｂは，下方に撓んで接触端子６Ａ及び６Ｂと接触し（図１に２点鎖線で示す），結果として，充電端子４Ａ及び４Ｂは，充電回路７と接続される。従って，被充電体１は，充電されることとなる。」　
　
（シ）図１には，「充電端子４Ａ，４Ｂは，被充電体１の電極端子に接続される部分がバネ状に形成されたこと」が示されている。　
　
３．発明の対比　
　本願発明と引用発明とを対比すると，後者の「充電器１の凹部」は前者の「バッテリー装着部」に相当し，以下同様に，「２次電池５」は「バッテリーパック」に，「充電端子５ａ，５ｂ」は「正極端子及び負極端子」に，「充電用端子１ａ，１ｂ」は「正極用充電端子及び負極用充電端子」に，「制御部３」は「制御マイクロコンピュータ」に，「充電器１」は「充電装置」に，「短絡用端子１ｃ」は「スイッチ用端子」に，「横長形状」は「平面形状」に，「ショート」は「短絡」に，それぞれ相当する。　
　また，後者の「充電器１の凹部に２次電池５が装着された時だけ，電源２が制御部３と電流制御回路４からなる充電回路に接続することで，前記２次電池５への充電が行われるようにする制御部３を設けた充電器１」は，前者の「バッテリー装着部にバッテリーパックが装着されたときだけ，前記バッテリーパックへの充電動作が行われるように制御する制御マイクロコンピュータを設けた充電装置」に相当し，後者の「制御部３による２次電池５への充電電流を流す電流制御回路４が設けられ」る態様と，前者の「制御マイクロコンピュータによるバッテリーパックへの充電動作の制御が行われるように動作するスイッチング用トランジスタが設けられ」る態様とは，「制御マイクロコンピュータによるバッテリーパックへの充電動作の制御が行われるように動作する電流制御手段が設けられ」るとの概念において共通する。　
　次に，後者の「充電用端子１ａ，１ｂ及び短絡用端子１ｃは，２次電池５の充電端子５ａ，５ｂに接続される部分が形成されて」いる態様と，前者の「正極用充電端子，負極用充電端子，及びスイッチ用端子は，バッテリーパックの正極端子又は負極端子に接続される部分がバネ状に形成されて」ている態様とは，「正極用充電端子，負極用充電端子，及びスイッチ用端子は，バッテリーパックの正極端子又は負極端子に接続される部分が形成されて」いるとの概念において共通し，後者の「充電用端子１ａ及び前記短絡用端子１ｃが，前記２次電池５を充電器１の凹部に装着したときに，該２次電池５の充電端子５ａによりショートされるように配置される」ことは，２次電池５の充電端子５ａによりショートされるためには，充電用端子１ａ及び前記短絡用端子１ｃとの距離が，２次電池５を充電器の凹部に装着したときに，該２次電池５の充電端子５ａを同時に接触できる距離に配置されることを意味するから，前者の「正極用充電端子及びスイッチ用端子との距離が，バッテリーパックをバッテリー装着部に装着したときに該バッテリーパックの正極端子を同時に接触できる距離に配置される」ことに相当する。　
　そして，後者の「充電器１の凹部に２次電池５を装着したときに，横長形状に形成された前記２次電池５の充電端子５ａで，充電用端子１ａと短絡用端子１ｃとをショートし，このショートによって，制御部３と電流制御回路４が電源２に接続され，前記制御部３は，前記２次電池５の電圧が充電が必要な電圧かを計測し，必要であれば前記電流制御回路４をオンにして前記２次電池５に充電電流を流」す態様と，前者の「バッテリー装着部にバッテリーパックを装着したときに，平面形状に形成された前記バッテリーパックの正極端子で，正極用充電端子とスイッチ用端子とを短絡し，この短絡によってスイッチング用トランジスタを導通させることにより，制御マイクロコンピュータが前記バッテリーの装着を検知し，充電動作の制御を行」う態様とは，「バッテリー装着部にバッテリーパックを装着したときに，平面形状に形成された前記バッテリーパックの正極端子で，正極用充電端子とスイッチ用端子とを短絡し，電流制御手段を導通させることにより，制御マイクロコンピュータが，充電動作の制御を行」うとの概念において共通する。　
　さらに，後者の「２次電池５を充電器１の凹部から取り外すと，短絡用端子１ｃを開放し，制御部３と電流制御回路４は電源２から切り離されて，充電動作の制御は行わない」態様と，前者の「バッテリーパックがバッテリー装着部に装着されていないときは，スイッチ用端子を開放し，スイッチング用トランジスタはオフすることにより，制御マイクロコンピュータが前記バッテリー装着部に装着されていないと判断し，充電動作の制御は行わない」態様とは，「バッテリーパックがバッテリー装着部に装着されていないときは，スイッチ用端子を開放し，制御マイクロコンピュータが，充電動作の制御は行わない」との概念において共通する。　
　そうすると，両者は，　
「バッテリー装着部に，バッテリーパックの正極端子及び負極端子に接続する正極用充電端子及び負極用充電端子を設けると共に，前記バッテリー装着部に前記バッテリーが装着されたときだけ，前記バッテリーパックへの充電動作が行われるように制御する制御マイクロコンピュータを設けた充電装置において，　
　前記バッテリーパックの正極端子及び負極端子は，前記バッテリー装着部に設けられる前記正極用充電端子及び負極用充電端子との接続面が平面形状に形成されており，　
　前記バッテリー装着部の前記正極用充電端子に近接してスイッチ用端子が設けられ，　
　前記制御マイクロコンピュータによる前記バッテリーパックへの充電動作の制御が行われるように動作する電流制御手段が設けられ，　
　前記正極用充電端子，前記負極用充電端子，及び前記スイッチ用端子は，前記バッテリーパックの正極端子又は負極端子に接続される部分が形成されており，　
　前記正極用充電端子及び前記スイッチ用端子との距離が，前記バッテリーパックを前記バッテリー装着部に装着したときに該バッテリーパックの正極端子を同時に接触できる距離に配置されるようにし，　
　前記バッテリー装着部に前記バッテリーパックを装着したときに，前記平面形状に形成された前記バッテリーパックの正極端子で，前記正極用充電端子と前記スイッチ用端子とを短絡し，前記電流制御手段を導通させることにより，前記制御マイクロコンピュータが，充電動作の制御を行い，　
　前記バッテリーパックが前記バッテリー装着部に装着されていないときは，前記スイッチ用端子を開放し，前記制御マイクロコンピュータが，充電動作の制御は行わない，充電装置。」　
の点で一致し，以下の各点で相違すると認められる。　
　
＜相違点１＞　
　制御マイクロコンピュータによるバッテリーパックへの充電動作の制御が行われるように動作する電流制御手段が設けられるものにおいて，該電流制御手段が，本願発明では，「スイッチング用トランジスタ」であり，「一方の被制御電極が制御マイクロコンピュータのバッテリー有無検出端子に接続されると共に電源端子に接続され，制御電極がスイッチ用端子に接続され，他方の被制御電極が接地され」るものであるのに対して，引用発明では，電流制御回路４である点。　
　
＜相違点２＞　
　正極用充電端子，負極用充電端子，及びスイッチ用端子の，バッテリーパックの正極端子又は負極端子に接続される部分が，本願発明では，「バネ状」に形成されているのに対して，引用発明では，そのような特定がなされていない点。　
　
＜相違点３＞　
　バッテリー装着部にバッテリーパックを装着したときに，平面形状に形成された前記バッテリーパックの正極端子で，正極用充電端子とスイッチ用端子とを短絡し，電流制御手段を導通させることにより，制御マイクロコンピュータが充電動作の制御を行うものにおいて，本願発明では，「この短絡によってスイッチング用トランジスタを導通させることにより，制御マイクロコンピュータが前記バッテリーの装着を検知し」たのに対して，引用発明では，このショート（短絡）によって，制御部３（制御マイクロコンピュータ）と電流制御回路４（電流制御手段）が電源２に接続され，前記制御部３（制御マイクロコンピュータ）は，２次電池５（バッテリーパック）の電圧が充電が必要な電圧かを計測し，必要であれば電流制御回路４（電流制御手段）をオン（導通）する点。　
　
＜相違点４＞ 　
　バッテリーパックがバッテリー装着部に装着されていないときは，スイッチ用端子を開放し，制御マイクロコンピュータが，充電動作の制御は行わないものにおいて，本願発明では，「スイッチング用トランジスタはオフすることにより，制御マイクロコンピュータがバッテリー装着部に装着されていないと判断し」たのに対して，引用発明では，制御部３（制御マイクロコンピュータ）と電流制御回路４（電流制御手段）は電源２から切り離される（オフされる）点。　
　
４．相違点の検討・当審の判断　
＜相違点１について＞　
　上記引用例２には，摘記事項（キ）〜（ケ）からみて，
「充電装置１５（バッテリーパック装着部）に電池１４とサーモスタット１４ａからなる電池組（バッテリーパック）が接続（装着）されると電池接続検出手段１６の信号によりシングルチップマイクロコンピュータ１１（制御マイクロコンピュータ）が電池１４（バッテリー）の接続（装着）を検知するものであって，　
　前記電池接続検出手段１６は，一方の被制御電極が前記シングルチップマイクロコンピュータ１１（制御マイクロコンピュータ）の入力ポート１１ｆ（バッテリー有無検出端子）に接続されると共に電源端子に接続され，制御電極が電池組（バッテリーパック）を検出する端子に接続され，他方の被制御電極が接地されて，前記シングルチップマイクロコンピュータ１１（制御マイクロコンピュータ）による前記電池組（バッテリーパック）への充電動作の制御が行われるように動作するトランジスタ１６ａ（スイッチング用トランジスタ）が設けられており，トランジスタ１６ａ（スイッチング用トランジスタ）によりシングルチップマイクロコンピュータ１１（制御マイクロコンピュータ）が電池組（バッテリーパック）の接続（装着）を検知すること」が開示されていると認められる。　
　そうすると，引用発明の「電流制御回路４（電流検出手段）」として，上記引用例２に開示されたトランジスタ１６ａ（スイッチング用トランジスタ）を適用し，上記相違点１に係る本願発明の構成とすることは，引用発明及び上記引用例２に開示された事項がいずれも，バッテリーパックの装着を検知して充電を行う充電装置に関するもので共通しているから，当業者が容易に想到し得たものである。　
　
＜相違点２について＞　
　上記引用例３には，摘記事項（コ）〜（シ）からみて，
「被充電体１（バッテリーパック）を充電する充電装置において，装着部３（バッテリー装着部）に被充電体１（バッテリーパック）が装着されると電気的に接触する充電端子４Ａ，４Ｂは，被充電体１（バッテリーパック）の電気端子に接続される部分がバネ状に形成されたこと」が開示されていると認められる。　
  そうすると，引用発明の，充電用端子１ａ，１ｂ（正極用充電端子，負極用充電端子），及び短絡用端子１ｃ（スイッチ用端子）の，２次電池５（バッテリーパック）の充電端子５ａ，５ｂ（正極端子又は負極端子）に接続される部分に，上記引用例３に開示された事項を適用して，上記相違点２における本願発明の構成とすることは，引用発明及び上記引用例３に開示された事項がいずれも，バッテリーパックを充電する充電装置に関するもので共通しているから，当業者が容易に想到し得たものである。　
　
＜相違点３について＞　
　引用発明においても，「このショート（短絡）によって，制御部３（制御マイクロコンピュータ）と電流制御回路４（電流制御手段）が電源２に接続され」るから，制御部３（制御マイクロコンピュータ）に電源２が接続された状態は，２次電池５（バッテリーパック）が充電器１の凹部（バッテリ装着部）に装着されたことにより生じるから，制御部３（制御マイクロコンピュータ）は２次電池５（バッテリーパック）の装着を検知しているといえる。　
　そして，上記引用例２には，上述のとおり，「トランジスタ１６ａ（スイッチング用トランジスタ）によりシングルチップマイクロコンピュータ１１（制御マイクロコンピュータ）が電池組（バッテリーパック）の接続（装着）を検知すること」が開示されているから，引用発明の「充電器１の凹部（バッテリー装着部）に２次電池５（バッテリーパック）を装着したときに，平面形状に形成された前記２次電池５（バッテリーパック）の充電端子５ａ（正極端子）で，充電用端子１ａ（正極用充電端子）と短絡用端子１ｃ（スイッチ用端子）とをショート（短絡）し，このショート（短絡）により制御部３（制御マイクロコンピュータ）が２次電池５（バッテリーパック）の装着を検知するとともに，電流制御回路４（電流制御手段）を導通させることにより，制御部３（制御マイクロコンピュータ）が充電動作の制御を行うもの」に，上記引用例２に開示された事項を適用して，上記相違点３における本願発明の構成とすることは，当業者が容易に想到し得たものである。　
　ここで，スイッチング用トランジスタを「導通させる」ことによりバッテリの装着を検知及び充電制御を行うことは，引用発明においても電流制御手段としての電流制御回路４をオン（導通）させて充電制御を行うものであることからも示されるように，当業者が必要に応じて適宜選択可能な設計的事項に過ぎない。　
　
＜相違点４について＞　
　上述したように，上記引用例２には，「トランジスタ１６ａ（スイッチング用トランジスタ）によりシングルチップマイクロコンピュータ１１（制御マイクロコンピュータ）が電池組（バッテリーパック）の接続（装着）を検知（判断）すること」が開示されているから，逆に，「トランジスタ１６ａ（スイッチング用トランジスタ）によりシングルチップマイクロコンピュータ１１（制御マイクロコンピュータ）が電池組（バッテリーパック）に接続（装着）されていないことを検知（判断）すること」が開示されていると認められる。　
　さらに，スイッチング用トランジスタは「オフする」ことによりバッテリーパックが装着されていないことを判断することは，当業者が適宜選択可能な設計的事項に過ぎないから，引用発明の「２次電池５（バッテリーパック）が充電器１の凹部（バッテリー装着部）に装着されていないときは，短絡用端子１ｃ（スイッチ用端子）を開放し，制御部３（制御マイクロコンピュータ）が，充電動作の制御は行わないもの」において，上記引用例２に開示された事項を適用して，上記相違点４における本願発明の構成とすることは，当業者が容易に想到し得たものである。　
　
　そして，上記相違点を併せ備える本願発明により奏される作用効果も，引用発明，上記引用例２，３に開示された事項から当業者が予測し得る範囲内のものである。 
　
　また，引用発明に，上記引用例２に開示された事項と，上記引用例３に開示された事項をそれぞれ適用する際の，阻害事由も認められない。
　
　したがって，本願発明は，引用発明，上記引用例２，３に開示された事項に基づいて，当業者が容易に発明をすることができたものである。　
　
５．むすび　
　以上のとおり，本願発明は，引用発明，上記引用例２，３に開示された事項に基づいて，当業者が容易に発明をすることができたものであるから，特許法第２９条第２項の規定により特許を受けることができない。
　よって，結論のとおり審決する。